(57)【要約】  移動するウェブ２７に作用する軸方向力を制御するためのデバイスおよび方法に関し、該デバイスは第１の回転ローラ１５と第２の回転ローラ１７と第３の回転ローラ１９とを備える。第３のローラ１９は、第１および第２のローラ１５，１７間に配置され、任意の瞬間にウェブ２７に作用する軸方向力に応じて下ポジション２１と上ポジション２２との間の垂直平面上の円弧状経路で移動できる。ウェブを簡単に手で設置できるように、第３のローラ１９は、開いた水平経路を形成するべく第１および第２のローラの上方に十分な垂直方向距離をおいた上ポジション２２を有し、該水平経路を通ってウェブ２７が第１および第２のローラと上方に配置された第３のローラとの間を自由に通過できる。軸方向力は、上作業ポジション２２の方向における第３のローラの移動に対抗する、ウェブの最大引張強度未満の力での第３のローラの付勢によってデバイス１４を用いて制御される。
2017504540.tif 000002
【特許請求の範囲】
【請求項１】
水平回転シャフト（１１）から巻き戻され、かつ、対応する水平回転シャフト（１２）まで導かれ、かつ前記水平回転シャフト（１２）に巻き取られるウェブ（２７）に作用する軸方向力を制御するためのデバイスであって、
前記デバイス（１４）は、第１の水平シャフト（１６）周りで回転可能な第１のローラ（１５）と、第２の水平シャフト（１８）周りで回転可能な第２のローラ（１７）と、第３の水平シャフト（２０）周りで回転可能な第３のローラ（１９）と、を備えており、
前記第３のローラ（１９）は、前記第１および第２のローラ（１５および１７）間に配置され、かつ、任意の瞬間に前記ウェブ（２７）に作用する軸方向力に応じて（２１における）下ポジションと（２２における）上ポジションとの間で垂直平面上で円弧状の移動経路に沿って移動可能であり、
前記ウェブ（２７）は、その一面が前記第１および第２のローラ（１５および１７）と接触しかつその他面が前記第３のローラ（１９）と接触するように意図されており、
前記第３のローラ（１９）は、（２２における）その上ポジションにおいて、開いた水平経路を形成するために前記第１および第２のローラ（１５および１７）上方で十分な垂直方向距離をおいて配置され、
前記水平経路を通って、前記ウェブ（２７）は、前記第１および第２のローラ（１５および１７）と上方に配置された第３のローラ（１９）との間を自由に通過でき、
前記第３のローラ（１９）は、（２２における）前記上作業ポジションの方向への前記第３のローラ（１９）の移動に対抗する力であって、前記特定のウェブ（２７）の最大引張強度未満である力で付勢されていることを特徴とするデバイス。
【請求項２】
前記第３のローラ（１９）は、複数のアーム（２４）を介して第４の水平回転シャフト（２３）に枢軸回転可能に懸架されており、
これらアームの一端は、前記第４の水平シャフト（２３）の個々の軸方向端部に接続されており、かつ、これらアームの他端は、対応する様式で、前記第３の水平シャフト（２０）の個々の軸方向端部に接続されていることを特徴とする請求項１に記載のデバイス。
【請求項３】
前記第４の水平シャフト（２３）は、垂直平面上において、第１および第２の水平シャフト（１６および１８）よりも高い位置に配置されていることを特徴とする請求項２に記載のデバイス。
【請求項４】
前記アーム（２４）は、前記第３のローラ（１９）が（２２における）その上ポジションに配置されている場合に略水平となっていることを特徴とする請求項１または請求項２に記載のデバイス。
【請求項５】
パッケージング材料のウェブであって、水平回転シャフト（１１）から巻き戻され、かつ対応する水平シャフト（１２）まで導かれ、かつ前記対応する水平シャフト（１２）に巻き取られ、かつ、前記ウェブが前記２つの水平シャフト間を通過する際に、その運転時に後続の加速スタートを伴う少なくとも１度の減速およびストップを受ける、パッケージング材料のウェブに任意の瞬間に作用する軸方向引張応力および降伏応力を制御するための、請求項１から請求項４のいずれか一項に記載のデバイス。
【請求項６】
水平回転シャフト（１１）から巻き戻され、かつ対応する水平回転シャフト（１２）まで導かれ、かつ前記対応する水平回転シャフト（１２）に巻き取られるウェブ（２７）に作用する軸方向力を制御するための方法であって、
−  前記ウェブを、その一面が第１のローラ（１５）および第２のローラ（１７）に接触するように導くステップであって、前記第１および第２のローラ（１５，１７）はそれぞれ第１および第２の水平シャフト（１６，１８）周りで回転可能である、ステップと、
−  開いた水平経路を形成するように、第３の水平シャフト（２０）周りで回転可能な第３のローラ（１９）を、前記第１および第２のローラの上方における十分な垂直方向距離から下降させるステップであって、前記水平経路を通って、前記第３のローラ（１９）が、前記第１および第２のローラと接触する面とは異なる面において前記ウェブに接触するように、前記ウェブが前記ウェブに接触する、ステップと、
−  （２２における）その上作業ポジションの方向における前記第３のローラの移動に対抗する力で前記第３のローラ（１９）を付勢するステップであって、前記力は、前記特定のウェブ（２７）の最大引張強度未満である、ステップと、
を含むことを特徴とする方法。
【発明の詳細な説明】
【技術分野】
【０００１】
本発明は、回転水平シャフトから巻き戻され、対応する水平回転シャフトまで導かれ、そして水平回転シャフトに巻き取られる材料シートに作用する軸方向力を制御するためのデバイスであって、該デバイスは、第１の水平シャフト周りで回転可能な第１のローラと、第２の水平シャフト周りで回転可能な第２のローラと、第３の水平シャフト周りで回転可能な第３のローラと、を備えており、第３のローラは、第１のローラと第２のローラとの間に配置されており、かつ任意の瞬間にウェブに作用する軸方向力に応じて下ポジションと上ポジションとの間で垂直平面上を円弧状の移動経路に沿って移動可能であり、ウェブは、その一面が第１および第２のローラと接触させられ、かつその他面が第３のローラと接触させられるよう意図されている、デバイスに関するものであある。
【背景技術】
【０００２】
パッケージング工学では、例えば牛乳などの液状の食品をパッケージングして運搬するために、使い捨て特性を有する消費者用パッケージが一般的に使用されている。こうしたタイプのいわゆる使い捨てパッケージは多くの場合に、紙または厚紙からなる基層とポリエチレンからなる外側液密層とを備える積層パッケージング材料から形成される。フルーツジュースなどの特に酸素感受性の高い食品を用いる特別な場合には、パッケージング材料を、酸素不透過性（oxygen-tight property）を有する材料からなる少なくとも１つのさらなる層で補足することが必要となる。こうした種類の補助的な材料層の最も一般的な例として、紙または厚紙層と２つの外側液密層の一方との間におけるアルミニウムホイルが挙げられる。
【０００３】
この種の消費者用パッケージは、今日では、非常の多くの場合に、パッケージング材料のウェブからまたは既製ブランクから完成されたパッケージを形成し充填してさらにシールするタイプの近代的かつ合理的なパッケージ機械を用いて製造される。
【０００４】
形成され、充填され、かつシールされた消費者用パッケージは、例えばウェブの２つの長手方向縁部を長手方向液密シーリング接合部（いわゆるラップジョイント）となるようにともに接合することによって最初にチューブへとウェブを変形することによって、ウェブから製造される。チューブは、例えば牛乳などの特定の食品で充填され、チューブの充填食品高さより下でチューブの長手方向軸線に対する直交方向においてチューブを繰り返し横方向シーリングされることによって、連結されたまくら状パックユニットとなるように分割される。充填されたまくら状パックユニットは、横方向シールでの切断によって互いから分離され、続いて少なくとも１つのさらなる形成およびヒートシーリング工程で所望の形状を付与される。こうしたタイプの大量生産される消費者用パッケージの公知の例として、牛乳、フルーツジュース、ワインおよび食用油などの液状食品を運搬するために使用されるTetra BrikおよびTetra Classic packagesが挙げられる。
【０００５】
上述のタイプの積層パッケージング材料は、紙または厚紙のロールから工業規模で製造される。ロールから巻き戻されたウェブは第１の作業ステーションへ導入され、そこでウェブの片面には適切な印刷技術を用いて美的かつ／または情報提供機能を有する繰り返しパターンが提供される。印刷後、関連してあるいは直接的に、ウェブは、折りたたみを容易にする弱化ラインからなる同様の繰り返しパターン（いわゆる折りたたみ線）をさらに提供される。この後に製造される使い捨てパッケージに所望の形状および魅力的な外観を付与するために、これら２つの繰り返しパターンを、互いにできるかぎり距離を小さくしてウェブに施すことが重要である。
【０００６】
プリントおよび折りたたみ線が施されたウェブは、後続の作業ステーションへ向けて前方に導かれる。ここでウェブは個別の外側液密層（通常はポリエチレン）で両面被覆される。パッケージング材料が特に酸素感受性の高い製品のためのパッケージング容器を対象とするよう意図されるなどの特定の場合には、パッケージング材料は、紙または厚紙と２つの外側液密コーティングの一方との間でパッケージング材料の片面において、アルミニウムホイルなどのそうしたバリア特性を有する材料からなる少なくとも１つのさらなる層をさらに提供される。
【０００７】
最終的にパッケージング材料のウェブは、個々の部分的なウェブとなるように分割され、分割されたウェブは、形成され充填されかつシールされるパッケージング容器を製造するために、最終的なパッケージングロールとなるように巻き取られる。
【０００８】
完成したパッケージングロールにおけるパッケージング材料が確実に品質要求事項を満たし、完成したパッケージング容器の化学的保護および／または機械的保護を台無しにし得る重大な不良部分や瑕疵に悩まされないようにするために、パッケージングロールは、パッケージング材料を修復する品質管理を受ける。
【０００９】
従来のタイプの修復ラインは、その一端において回転水平シャフトを有しており、その他端において対応する回転水平シャフトを有する。これら回転シャフト間において、修復ラインは、検出された瑕疵が修復されかつパッケージング材料の静止ウェブに処置が施される修復ステーションを有する。パッケージング材料は多くの場合に多数の製造上の瑕疵に非常に悩まされており、かつこうした製造上の瑕疵が１つの同じパッケージング材料上のランダムに拡散したポイントで発見され得るため、これは、修復ステーションを通して導かれるパッケージング材料のウェブが、品質管理に関連して数回のストップおよびスタートを受けることを意味する。ウェブのストップは通常は主要な問題を伴わずに実施できるが、一方では、次の再スタートは、さらなる問題をさけるために予期されかつ防止すべき問題を伴うことがある。そうしたさらなる問題は、ウェブのストップが即座に実施できず、その代わりにウェブのストップが、本来の慣性が原因となって特定の遅延過程の後に実現するという事実に関連する。こうした遅延過程では、減速したウェブが、作業ステーションの手前の領域において余剰の材料からなるループを形成する。続いてウェブが再スタートする場合、ウェブが同時にその移動方向において軸方向に引っ張られるとすぐに、この余剰の材料の長さがウェブの速度の増加に従って小さくなり、最終的に完全に見えなくなる。そうした避けることができないウェブの軸方向の引っ張りが、ウェブの最大引張強度を超え得るほど強くなることを防止し、それによってウェブが引き裂かれることを防止するするために、公知の修復ラインは、そうしたウェブの引っ張りを制御できウェブの最大引張強度よりも十分に下回るレベルに維持できるデバイスを備える。
【００１０】
公知の修復ラインにおいてそうした引張応力および降伏応力を制御するためのデバイスは、第１の水平シャフト周りで回転可能な第１のローラと、第２の水平シャフト周りで回転可能な第２のローラと、第３の水平シャフト周りで回転可能な第３のローラと、を有する。第１および第２の回転ローラ間にある第３のローラは、第３のローラが上作業ポジションと下作業ポジションとの間で円弧に沿って垂直方向に変位可能なように、第４の水平シャフトに枢軸回転可能に取り付けられている。第４の水平シャフトは、第１および第２の水平シャフトの高さより下の高さに取り付けられる。円弧に沿った第３のローラの変位はアームを用いて実施される。これらアームの端部の一方は第３の水平シャフトの個々の軸方向端部に接続されており、これらアームの端部の他方は、第４の水平シャフトの個々の軸方向端部に対応する様式で接続されている。
【００１１】
パッケージング材料のロールがチェックされて修復される際に、ロールは、修復ラインの一端において水平回転シャフトから吊り下げられる。パッケージング材料のウェブは吊り下げられたロールから巻き戻され、修復ラインの他端での水平回転シャフトへの巻き取りのために手作業で送られる。他端における回転シャフトまでの経路では、ウェブはまず、ウェブの軸方向力を制御するためのデバイスを通るよう導かれ、該デバイスから、検出される製造上の瑕疵がウェブ上で処置される作業ステーションを経て、前方へ送られる。第１および第２の回転ローラが、第３の回転ローラの水平シャフトの対応する高さよりも上方に位置する高さにある個別の水平シャフトを有するため、ウェブは、ウェブの片面（底面）が第１および第２のローラに接触させられると同時にウェブの他面（上面）が第３のローラに接触させられるように、ローラの構造全体を通じてＵ字形状のウェブループとなった状態で導かれる。公知のローラ構造を通るＵ字形状ループに沿ってそのようにウェブを手作業で引っ張ることは、不必要に複雑であるだけでなく、さらに、新しいロールをチェックして修復する必要が生じたときはいつでも過度に大きな労働力と多大な時間とが必要となる。
【発明の概要】
【発明が解決しようとする課題】
【００１２】
したがって本発明の目的の１つは、こうした欠点を取り除くこと、および非常に容易でありかつ従来のデバイスに比べて時間も労働力も少ないウェブの手動での引っ張りを可能にする、導入部において述べたタイプのデバイスを提供することである。
【課題を解決するための手段】
【００１３】
特定の目的は、巻き戻されたウェブをデバイスの初めから終わりまで略直線状の水平経路に沿って手作業で導くことができるこのタイプのデバイスを提供することである。
【００１４】
一態様では、本発明は、回転水平シャフトから巻き戻され、対応する水平回転シャフトまで導かれて該水平回転シャフトに巻き取られるウェブに作用する軸方向力を制御するためのデバイスであって、該デバイスは、第１の水平回転シャフト周りで回転可能な第１のローラと、第２の水平回転シャフト周りで回転可能な第２のローラと、第３の水平回転シャフト周りで回転可能な第３のローラと、を備えており、第３のローラは、第１および第２のローラ間に配置されており、かつ任意の瞬間にウェブに作用する軸方向力に応じて下ポジションと上ポジションとの間で垂直平面上で円弧状の移動経路に沿って移動可能であり、ウェブは、その片面において第１および第２のローラと接触させられかつその他面において第３のローラと接触させられるよう意図されている、デバイスを提供する。このデバイスは、第３のローラがその上ポジションにおいて開いた水平経路を形成するように第１および第２のローラから十分な垂直方向距離を置いて配置され、ウェブが該水平経路を通して一方では２つの第１および第２のローラと他方では第３のローラとの間を自由に通過できることに特徴付けられる。
【００１５】
本発明に基づくデバイスの一実施形態では、第３のローラは、複数のアームを介して第４の水平回転シャフトに枢軸回転可能に懸架されている。これらアームの一端は第４の水平シャフトに接続されており、これらアームの他端は、対応する様式で第３の水平シャフトの軸方向端部の各々に接続されている。
【００１６】
第４の水平シャフトは、必須ではないが、水平面上において２つの第１および第２の水平シャフトよりも高い位置に配置することができる。第４の水平シャフトが２つの第１および第２の水平シャフトより上の高さに取り付けられる場合、アームは、第３のローラがその上ポジションにある際には略水平となる。
【００１７】
好ましい実施形態では、第３のローラは、上作業ポジションの方向における上方への第３のローラの移動に対抗する力で付勢されている。好ましくは、第３のローラは、特定のウェブの最大引張強度よりも小さな力で付勢される。
【００１８】
実際の用途では、本発明に基づくデバイスは、水平回転シャフトから巻き戻され、対応する水平回転シャフトへ導かれて、該対応する水平回転シャフトに巻き取られるパッケージング材料のウェブであって、ウェブが２つの水平シャフト間を通過する際に、その後に加速するスタートを伴う少なくとも１度の減速およびストップを受ける、パッケージング材料のウェブに任意の瞬間に作用する軸方向引張応力および降伏応力を制御するために使用される。
【００１９】
さらなる実施形態では、第３のローラは、上ポジションへ向かう第３のローラの上方への円弧状の枢軸移動に対抗する自由に調節できる力で付勢される。そうした付勢力は、公知の様式で適切な空気圧式手段、水圧式手段または機械的手段を用いてもたらすことができる。上述のようにウェブにかかる過度に強い引張応力および軸方向力に起因するウェブの断裂を避けるために、この対抗力は、ウェブの特有の最大引張強度未満の値に設定しなければならない。ウェブが例えばほぼ２０，０００Ｎ程度の大きさの最大引張強度を有する場合、対抗力は、ウェブが軸方向力を受けた場合にウェブの最大引張強度を事前に大幅に下回る状態で第３のローラを移動できるように、１８００〜２０００Ｎなどのこの対抗力のちょうど１０分の１（１／１０）となる値に設定できる。
【００２０】
以下では本発明について添付の図面を参照しながら詳細に説明する。
【図面の簡単な説明】
【００２１】
【図１】パッケージング材料のウェブ上の製造上の瑕疵を処置するための従来のラインに関連する、本発明に基づくデバイスの概略図である。
【図２】図１において丸で囲まれた領域の拡大図である。
【発明を実施するための形態】
【００２２】
図１には、パッケージング材料の事前製造に関連して検出されかつ登録される瑕疵や不良部分を取り除くために、修復ラインを通されて適切に処置されるパッケージング材料のウェブにかかる軸方向力を制御するための本発明に基づくデバイスの設置および使用法を概略的に示す。参照符号１０で示される修復ラインは、この例では、その一端（右側端部）において回転水平シャフト１１を有し、その他端（左側端部）において対応する回転水平シャフト１２を有する。回転水平シャフト１１および１２の間において、修復ライン１０はさらに、個別の不良部分および瑕疵を取り除くために適切な処置を受けるよう意図されたウェブが通過する修復ライン１３を備える。
【００２３】
一般的なそうした手段は、ウェブがウェブ全体を横断するストレートカットによって分割されると同時にストップされて静止状態に保持されるウェブに基づく。そのようにカットされたウェブの（ウェブの移動方向における）後ろの部分は、続いて所定の距離まで前進させられ、ウェブの前進部分がウェブ全体を横断するさらなるストレートカットによって対応するようにカットされて除去されると同時に、再び停止されて静止状態に保持される。ウェブの２つの残りの部分がくっつけられ、続いて互いに対して接合される。その後、ウェブは動き始め、ウェブが修復ステーション１３で続いて修復されるべく再びストップされるまで前方へ進められる。
【００２４】
修復されたウェブは、修復ライン１３からさらに前方へ導かれ、修復ライン１３の他端（左側端部）において回転水平シャフト１２に巻き取られる。
【００２５】
上述のように、ウェブのストップは、基本的に主要な問題を伴わずに実施できるが、ストップおよび停止の各々の後でのウェブの再スタートに関しては問題および混乱が頻繁に生じる。こうした種類の問題および混乱は、パッケージング材料のウェブの移動が瞬間的にストップできず、むしろ本来の慣性および別の動的な作用が原因となってウェブの減速およびストップは連続遅延過程の後に起こるという事実に少なくとも部分的に関連している。連続遅延過程の間、減速するウェブの大きくなる集積またはループが、修復ステーション１３と連動してあるいは修復ステーション１３のすぐ手前に形成される。ウェブがその停止後にスタートされて再加速される場合、こうしたウェブの集積またはループが徐々に小さくなり、最終的には完全に見えなくなる。そのためウェブは軸方向引張を受け、同時に軸方向引張は、ウェブの移動方向において瞬間的に強い軸方向力をウェブにもたらす。
【００２６】
この瞬間的な軸方向力が、特定のウェブの最大引張強度をさらに超えるほど大きくなることを防止するために、修復ライン１０は、図示される例では、ウェブにかかる軸方向力をこうした最大引張強度未満のレベルに制御して維持するために本発明に基づくデバイス１４を備える。デバイス１４は、図示される例では修復ライン１０の一端（右側端部）における回転軸方向シャフトと修復ステーション１３との間に配置されており、以下では、図１において丸で囲まれた領域を拡大して示す図２を参照しながら詳細に説明する。
【００２７】
図２（図１と同じ参照符号が使用される）から明らかなように、デバイス１４は、第１の水平シャフト１６周りで回転可能な第１のローラ１５と、第２の水平シャフト１８周りで回転可能な第２のローラ１７と、第３の水平シャフト２０周りで回転可能な第３のローラ１９と、を備える。第３の回転ローラは、任意の瞬間にウェブに作用する軸方向力に応じて、２つの第１および第２の回転ローラ１５および１７間において垂直平面上で（破線で示される）円弧状の移動経路に沿って（参照符号２１における）下ポジションと（参照符号２２における）上ポジションとの間で移動可能である。
【００２８】
図２に図示される例では、第３の回転ローラ１９のそうした反応運動は、このローラ１９が２つのアーム２４（アームの一方のみが図示される）を介して第４の回転シャフト２３に枢軸回転可能に懸架されているという事実によって実現可能となる。２つのアームの一端は第４の回転シャフト２３の軸方向端部の各々に接続され、２つのアームの他端は、第３の回転シャフト２０の軸方向端部の各々に対応する様式で接続される。
【００２９】
ウェブの速度が加速されると引っ張りに関連してウェブに作用する強い軸方向力に対抗するために、第３の回転ローラ１９は、下ポジション２１から第３のローラの移動方向に作用する自由に調節できる力で付勢される。そうした対抗力は、第４の回転シャフト２３に直接作用する空気圧式手段および液圧式ならびに機械的手段のいずれを用いて公知の様式でもたらすことができる。上述のようにウェブにかかる過度に強い引張応力および軸方向力に起因するウェブの断裂を避けるために、この対抗力は、ウェブの固有の最大引張強度未満の値に設定されなければならない。ウェブが例えばほぼ２０，０００Ｎ程度の大きさの最大引張強度を有する場合、対抗力は、ウェブが軸方向力を受けた場合にウェブの最大引張強度をすでに大幅に下回る状態で第３のローラを移動できるようにするために１８００〜２０００Ｎなどの、この最大引張強度のちょうど１０分の１（１／１０）の値に設定できる。
【００３０】
パッケージング材料の巻き取られたウェブが、チェックされかつパッケージング材料の事前製造において生じた検出済みかつ登録済みの不良部分および瑕疵を取り除くよう作用される場合、パッケージング材料のロールは、修復ライン１０の一端（右側端部）における水平回転シャフト１６に巻き取られる。ウェブ２７は、ロール１５から巻き出され修復ライン１０の他端（左側端部）における水平回転シャフト１８に巻き取られるまで図１において左へ矢印の方向に手動で導かれる。修復ライン１０の他端における水平回転シャフト１８への経路において、ウェブ２７はまずウェブ２７の軸方向力を制御するためのデバイス１４を通され、その後、ウェブ２７上に検出された製造上の瑕疵を処置する作業ステーション１３へ向けて導かれ該作業ステーション１３を通される。
【００３１】
修復ライン１０全体に沿って巻き戻されたウェブ２７の手動での引っ張りを容易にするために、第３の回転ローラ１９は、上述のように略水平ポジションへと回動されたアーム２４を用いてその上ポジション２２に保持される。
【００３２】
ウェブ２７の手動引っ張りが完了した後、第３の回転ローラ１９は、上ポジションと下ポジションとの間にある付加的な作業ポジションへ下降される。該作業ポジションでは、ウェブ２７の片面が第３の回転ローラ１９に接触し、同時にウェブ２７の他面が２つの第１および第２の回転ローラ１５および１７と接触する。修復ライン１０の一端（左側端部）における回転水平シャフト１８は、例えば回転シャフトに接続される電気モータなどの適切なデバイスを用いて回転される。ウェブ２７の速度が所定の速度まで増加され、同時にウェブの瞬間的なポジションが適切な電気的および／または工学的手段を用いて連続的に読み込まれる。登録済みの瑕疵が走行するウェブ２７上に検出されると、上述のように、ウェブは、遅滞ブレーキ(retarded braking)後にストップされ、ウェブ上で検出された瑕疵が修復ステーション１３で処置されている間、静止状態で維持される。瑕疵が修復されると、チェックおよび修復を続けるためにウェブ２７は再スタートされ、既定のウェブ速度まで加速される。
【００３３】
とりわけ停止後の再スタートに関連して、ウェブが修復ライン１０に沿って移動するよう保持される期間中ずっと、ウェブが受ける軸方向力は、本発明に基づくデバイス１４を用いてモニターされかつ制御される。そうした軸方向力はとりわけ詳細に上述したように軸方向力がいずれのポイントにおいても特定のウェブの最大引張強度を超えないように制御される。
【００３４】
本発明はパッケージング材料のウェブに関連する使用法を特に関連して説明したが、すべての点においてこうした使用法に限定されない。とりわけ本発明に基づくデバイスは、運転中に過大な軸方向力を受けるリスクのある他のタイプのウェブに関連して使用できる。そのため特許請求の範囲の記載はより幅広い実現可能な範囲で解釈されるべきである。
【産業上の利用可能性】
【００３５】
本発明に基づくデバイスは、特に、非限定的に、パッケージング材料のウェブが繰り返し停止され再スタートされる時に加速変化を受ける場合にパッケージング材料のウェブに作用する軸方向引張応力を制御するために使用できる。とりわけこのデバイスは、引張応力を特定のウェブの最大引張強度を十分に下回るレベルに制御しかつ維持するために使用できる。
【符号の説明】
【００３６】
１０  修復ライン
１１  水平回転シャフト
１２  水平回転シャフト
１３  修復ステーション
１４  デバイス
１５  ローラ
１６  水平回転シャフト
１７  ローラ
１８  水平回転シャフト
１９  回転ローラ
２０  水平シャフト
２１  下ポジション
２２  上ポジション
２３  水平回転シャフト
２４  アーム
２７  ウェブ
【図１】
2017504540.tif 000003
【図２】
2017504540.tif 000004
【国際調査報告】
2017504540.tif 000005
2017504540.tif 000006
2017504540.tif 000007